(57)【要約】【課題】高速移動受信時の伝送路推定誤差を補償し、送信データを正しく再生することが可能な直交周波数分割多重信号の受信装置を得ること。【解決手段】本発明における直交周波数分割多重信号の受信装置１００は、所望の周波数に周波数変換した信号を離散フーリエ変換し、サブキャリア信号列に復調する離散フーリエ変換手段１と、サブキャリア毎の伝送路特性を推定する伝送路推定手段２と、各サブキャリアを等化した等化信号および受信シンボルに同期したヘッダ信号を出力する等化手段３と、ヘッダ信号をもとに後段のタイミング信号を生成するタイミング生成手段４と、等化信号をＮ回（Ｎ≧２）繰り返して出力するメモリ手段５と、フィルタ係数に基づいて等化信号にフィルタ処理を行い、Ｎ回目の等化信号を補償して復調信号として出力するフィルタ手段６と、フィルタ係数を算出してフィルタ手段６のフィルタ係数を更新する係数更新手段７と、を備える。【選択図】図１
2010062643.tif 000002
【特許請求の範囲】
【請求項１】
直交周波数分割多重方式で変調された、複数の既知のパイロットキャリアを含む直交周波数分割多重信号の受信装置であって、
所望の周波数に周波数変換した前記直交周波数分割多重信号を離散フーリエ変換し、サブキャリア信号列に復調する離散フーリエ変換手段と、
前記離散フーリエ変換手段の出力を入力し、前記サブキャリア毎の伝送路特性を推定する伝送路推定手段と、
前記伝送路推定手段の出力および前記離散フーリエ変換手段の出力を入力し、各サブキャリアを等化した等化信号および受信シンボルに同期したヘッダ信号を出力する等化手段と、
前記等化手段の出力を入力し、前記ヘッダ信号をもとに後段の信号処理のタイミングを制御するタイミング信号を生成するタイミング生成手段と、
前記等化手段および前記タイミング生成手段の出力を入力し、前記等化信号をＮ回（Ｎ≧２）繰り返して出力するメモリ手段と、
前記メモリ手段の出力を入力し、フィルタ係数に基づいて前記等化信号にフィルタ処理を行い、前記Ｎ回目の等化信号を補償して復調信号として出力するフィルタ手段と、
前記フィルタ手段、前記メモリ手段、前記タイミング生成手段の出力および前記既知のパイロットキャリアを入力し、前記フィルタ係数を算出して前記フィルタ手段のフィルタ係数を更新する係数更新手段と、を備える直交周波数分割多重信号の受信装置。
【請求項２】
前記伝送路推定手段の出力を入力し、各パイロットキャリアの前記伝送路推定手段の出力から信頼性情報を算出する信頼性情報生成手段をさらに備え、
前記係数更新手段は、前記フィルタ手段、前記メモリ手段、前記タイミング生成手段、前記信頼性情報生成手段の出力および前記既知のパイロットキャリアを入力し、前記フィルタ係数を算出して前記フィルタ手段のフィルタ係数を更新する、請求項１に記載の直交周波数分割多重信号の受信装置。
【請求項３】
前記係数更新手段は、前記信頼性情報生成手段の出力をもとに、前記等化手段から出力された前記パイロットキャリアの信頼性を判定する信頼性判定手段を備え、
前記信頼性判定手段が信頼性が低いと判定した場合、前記係数更新手段は、前記フィルタ係数を更新しない、請求項２に記載の直交周波数分割多重信号の受信装置。
【請求項４】
前記係数更新手段は、前記信頼性情報に応じてフィルタ係数更新時に使用する重み係数を制御する、請求項２に記載の直交周波数分割多重信号の受信装置。
【請求項５】
前記係数更新手段は、メモリ手段からＮ回繰り返し出力される等化信号に対し、１回目から（Ｎ−１）回目に出力される等化信号を用いて、前記フィルタ手段の出力がパイロットキャリア成分の場合に前記フィルタ係数を逐次更新し、
前記フィルタ手段は、前記（Ｎ−１）回目の等化信号に基づいて更新されたフィルタ係数を用いて前記Ｎ回目に出力される等化信号にフィルタ処理を行い、前記復調信号として出力する、請求項１から４のいずれかに記載の直交周波数分割多重信号の受信装置。
【請求項６】
前記フィルタ手段の出力と前記既知のパイロットキャリアとの差として得られる誤差信号の２乗平均値または絶対値の平均値を所定の周波数帯域毎に計算する平均誤差信号算出手段と、
前記平均誤差信号算出手段の出力をもとに、前記フィルタ係数の更新に従って前記平均誤差信号算出手段の出力が減少したか否かを判定する誤差判定手段と、をさらに備え、
前記係数更新手段は、前記誤差判定手段の判定結果に応じて、更新後のフィルタ係数または更新前のフィルタ係数のいずれかを選択して前記フィルタ手段のフィルタ係数を更新する、請求項１から５のいずれかに記載の直交周波数分割多重信号の受信装置。
【請求項７】
直交周波数分割多重方式で変調された、複数の既知のパイロットキャリアを含む直交周波数分割多重信号の受信方法であって、
所望の周波数に周波数変換した前記直交周波数分割多重信号を離散フーリエ変換し、サブキャリア信号列に復調する離散フーリエ変換工程と、
前記離散フーリエ変換工程の出力を入力し、前記サブキャリア毎の伝送路特性を推定する伝送路推定工程と、
前記伝送路推定工程の出力および前記離散フーリエ変換工程の出力を入力し、各サブキャリアを等化した等化信号および受信シンボルに同期したヘッダ信号を出力する等化工程と、
前記等化工程の出力を入力し、前記ヘッダ信号をもとに後段の信号処理のタイミングを制御するタイミング信号を生成するタイミング生成工程と、
前記等化工程の出力および前記タイミング生成工程の出力を入力し、前記等化信号をＮ回（Ｎ≧２）繰り返して出力するメモリ工程と、
前記メモリ工程の出力を入力し、フィルタ係数に基づいて前記等化信号にフィルタ処理を行い、前記Ｎ回目の等化信号を補償して復調信号として出力するフィルタ工程と、
前記フィルタ工程、前記メモリ工程、前記タイミング生成工程の出力および前記既知のパイロットキャリアを入力し、前記フィルタ係数を算出して前記フィルタ工程のフィルタ係数を更新する係数更新工程と、を備える直交周波数分割多重信号の受信方法。
【請求項８】
前記伝送路推定工程の出力を入力し、各パイロットキャリアの前記伝送路推定工程の出力から信頼性情報を算出する信頼性情報生成工程をさらに備え、
前記係数更新工程は、前記フィルタ工程、前記メモリ工程、前記タイミング生成工程、前記信頼性情報生成工程の出力および前記既知のパイロットキャリアを入力し、前記フィルタ係数を算出して前記フィルタ工程のフィルタ係数を更新する、請求項７に記載の直交周波数分割多重信号の受信方法。
【請求項９】
前記フィルタ工程の出力と前記既知のパイロットキャリアとの差として得られる誤差信号の２乗平均値または絶対値の平均値を所定の周波数帯域毎に計算する平均誤差信号算出工程と、
前記平均誤差信号算出工程の出力をもとに、前記フィルタ係数の更新に従って前記平均誤差信号算出工程の出力が減少したか否かを判定する誤差判定工程と、をさらに備え、
前記係数更新工程は、前記誤差判定工程の判定結果に応じて、更新後のフィルタ係数または更新前のフィルタ係数のいずれかを選択して前記フィルタ工程のフィルタ係数を更新する、請求項７または８に記載の直交周波数分割多重信号の受信方法。
【発明の詳細な説明】
【技術分野】
【０００１】
本発明は、直交周波数分割多重信号の受信装置およびその受信方法に関し、特に複数の既知のパイロットキャリアを含む直交周波数分割多重信号の受信装置およびその受信方法に関するものである。
【背景技術】
【０００２】
直交周波数分割多重方式によるデジタル伝送技術は、互いの周波数が直交する複数のサブキャリアによって情報を変調および多重して送受信する伝送方式であり、放送や通信の分野で特に実用化が進んでいる。
【０００３】
直交周波数分割多重方式の伝送では、送信する情報（以下、「送信データ」ともいう）は、複数のサブキャリアに割り振られ、各サブキャリアにおいてＱＰＳＫ（Quadrature Phase Shift Keying）やＱＡＭ（Quadrature Amplitude Modulation）または多値ＰＳＫ等でデジタル変調される。また、サブキャリアを受信側で変調する際に利用する信号として、既知信号（パイロットキャリア）が特定のサブキャリアとして多重されている。これらの多重化されたサブキャリアは、逆離散フーリエ変換処理によって直交変換され、所望の送信周波数に周波数変換されて伝送される。
【０００４】
具体的には、送信時に送信する伝送データが各サブキャリアの変調方式に応じてマッピングされ、これらが逆離散フーリエ変換される。次に、逆離散フーリエ変換後の信号の最後部が信号の先端にコピーされる。この部分はガードインターバルと呼ばれ、ガードインターバルを付加することによって、ガードインターバル長以下の遅延時間を有する遅延波があっても、受信側でシンボル間干渉することなく信号を再生できるようになる。
【０００５】
直交周波数分割多重方式では全てのサブキャリアは互いに直交するため、送受信間でサブキャリア周波数の同期が確立した場合、送信データを正しく再生することができる。従って、直交周波数分割多重信号（以下、「ＯＦＤＭ信号」ともいう）を受信する復調装置（受信装置）では、入力する直交周波数分割多重方式の複素デジタル信号を直交復調して所望の周波数帯域に周波数変換し、送受信間のタイミング同期、サブキャリア周波数同期を確立しつつ、周波数変換した受信信号に離散フーリエ変換を行ってサブキャリア毎の受信信号を生成し、復調を行っている。
【０００６】
サブキャリア変調方式としてＱＰＳＫやＱＡＭが採用されている直交周波数分割多重信号を受信する従来の受信装置では、各サブキャリアを復調するため、例えば送信信号にあらかじめ挿入されている既知信号（パイロットキャリア）を用いて伝送路における各サブキャリアの振幅および位相変動量を推定し（以下、「伝送路推定」ともいう）、その推定結果に基づいてサブキャリアの振幅および位相を補正（以下、「等化」ともいう）する（下記非特許文献１参照）。
【０００７】
また、これらに関連する技術が下記特許文献１に開示されている。
【０００８】
【非特許文献１】伊丹誠著、「わかりやすいＯＦＤＭ技術」、オーム社、ｐ．３９−４４、ｐ．７１−８２
【特許文献１】特開２０００−２３６３１３号公報
【発明の開示】
【発明が解決しようとする課題】
【０００９】
従来の受信装置では、伝送路推定と等化によって得られた復調信号をもとに送信データを再生するため、伝送データを誤りなく再生するためには、伝送路推定を精度よく行うことが重要である。伝送路推定に使用するパイロットキャリアのキャリア数は、伝送可能なデータ量をできるだけ多くするため、必要最小限に抑えられている。例えば、ＩＳＤＢ−Ｔ（Integrated Services Digital Broadcasting for Terrestrial）やＤＶＢ−Ｔ（Digital Video Broadcasting-Terrestrial）などの地上デジタル放送送受規格では、ＯＦＤＭ信号１シンボル内で周波数方向に１２キャリアおきにパイロットキャリアを挿入し、更にシンボル毎にパイロットキャリアを挿入するサブキャリア周波数を３キャリアずつずらしている。従って、同一周波数のサブキャリアにおけるパイロットキャリアの挿入間隔は４シンボル間隔になる。
【００１０】
一方、ＯＦＤＭ信号を移動受信する場合、移動に伴う伝送路特性の変動に追従した伝送路推定が必要である。そのため、上述した非特許文献１にも示されているように、パイロットキャリアを時間および周波数方向に内挿して伝送路推定を行い、伝送路の変動に追従するようにしている。
【００１１】
しかしながら、移動速度が高速になるに従って伝送路推定精度が劣化するため、高速移動受信時には等化処理を行っても振幅や位相が正しく補正できず、送信データを誤って再生する確立が増大してしまうという問題があった。
【００１２】
そこで本発明はかかる問題を解決するためになされたものであり、高速移動受信時の伝送路推定誤差を補償し、送信データを正しく再生することが可能な直交周波数分割多重信号の受信装置およびその受信方法を得ることを目的とする。
【課題を解決するための手段】
【００１３】
本発明における直交周波数分割多重信号の受信装置は、直交周波数分割多重方式で変調された、複数の既知のパイロットキャリアを含む直交周波数分割多重信号の受信装置であって、所望の周波数に周波数変換した前記直交周波数分割多重信号を離散フーリエ変換し、サブキャリア信号列に復調する離散フーリエ変換手段と、前記離散フーリエ変換手段の出力を入力し、前記サブキャリア毎の伝送路特性を推定する伝送路推定手段と、前記伝送路推定手段の出力および前記離散フーリエ変換手段の出力を入力し、各サブキャリアを等化した等化信号および受信シンボルに同期したヘッダ信号を出力する等化手段と、前記等化手段の出力を入力し、前記ヘッダ信号をもとに後段の信号処理のタイミングを制御するタイミング信号を生成するタイミング生成手段と、前記等化手段および前記タイミング生成手段の出力を入力し、前記等化信号をＮ回（Ｎ≧２）繰り返して出力するメモリ手段と、前記メモリ手段の出力を入力し、フィルタ係数に基づいて前記等化信号にフィルタ処理を行い、前記Ｎ回目の等化信号を補償して復調信号として出力するフィルタ手段と、前記フィルタ手段、前記メモリ手段、前記タイミング生成手段の出力および前記既知のパイロットキャリアを入力し、前記フィルタ係数を算出して前記フィルタ手段のフィルタ係数を更新する係数更新手段と、を備える。
【００１４】
本発明における直交周波数分割多重信号の受信方法は、直交周波数分割多重方式で変調された、複数の既知のパイロットキャリアを含む直交周波数分割多重信号の受信方法であって、所望の周波数に周波数変換した前記直交周波数分割多重信号を離散フーリエ変換し、サブキャリア信号列に復調する離散フーリエ変換工程と、前記離散フーリエ変換工程の出力を入力し、前記サブキャリア毎の伝送路特性を推定する伝送路推定工程と、前記伝送路推定工程の出力および前記離散フーリエ変換工程の出力を入力し、各サブキャリアを等化した等化信号および受信シンボルに同期したヘッダ信号を出力する等化工程と、前記等化工程の出力を入力し、前記ヘッダ信号をもとに後段の信号処理のタイミングを制御するタイミング信号を生成するタイミング生成工程と、前記等化工程の出力および前記タイミング生成工程の出力を入力し、前記等化信号をＮ回（Ｎ≧２）繰り返して出力するメモリ工程と、前記メモリ工程の出力を入力し、フィルタ係数に基づいて前記等化信号にフィルタ処理を行い、前記Ｎ回目の等化信号を補償して復調信号として出力するフィルタ工程と、前記フィルタ工程、前記メモリ工程、前記タイミング生成工程の出力および前記既知のパイロットキャリアを入力し、前記フィルタ係数を算出して前記フィルタ工程のフィルタ係数を更新する係数更新工程と、を備える。
【発明の効果】
【００１５】
本発明の直交周波数分割多重信号の受信装置および受信方法によれば、伝送路推定誤差に起因する等化後の信号の振幅および位相ずれをリアルタイムに補正することができるため、伝送路推定手段と等化手段では正しく復調できない高速移動受信環境下での受信性能を向上することが可能となる。
【発明を実施するための最良の形態】
【００１６】
＜実施の形態１＞
図１は、本発明の実施の形態１における直交周波数分割多重信号の受信装置１００の構成を示した図である。受信装置１００は、離散フーリエ変換部１、伝送路推定部２、等化部３、タイミング生成部４、メモリ部５、フィルタ部６、係数更新部７を備える。
【００１７】
次に、動作について説明する。受信した直交周波数分割多重信号は、所望の周波数に変換された後、離散フーリエ変換部１で離散フーリエ変換され、各サブキャリア成分に分離される（サブキャリア信号列に復調する）。
【００１８】
伝送路推定部２は、離散フーリエ変換部１の出力からパイロットキャリアを抽出し、全サブキャリアに対する伝送路推定値を出力する。
【００１９】
等化部３は、伝送路推定部２の出力をもとに離散フーリエ変換部１から出力される各サブキャリアの位相および振幅を補正し、等化信号として出力する。この動作は既に周知の技術であるため（非特許文献１および特許文献１参照）、ここではその詳細についての説明を省略する。また、等化部３は、等化信号に同期してＯＦＤＭ信号のシンボル周期を表すヘッダ信号を出力する。尚、等化出力は、周波数の低いサブキャリア成分から順に出力され、ＯＦＤＭシンボルの最後は最も周波数の高いサブキャリア成分である。
【００２０】
タイミング生成部４は、等化部３から出力されるヘッダ信号をもとに、メモリ部５の動作タイミングを制御するためのタイミング信号および係数更新部７の動作を制御するための係数更新タイミング信号を生成する。
【００２１】
メモリ部５は、等化部３から出力される等化信号およびタイミング生成部から出力されるタイミング信号を入力とし、図２に示すような等化信号を２回繰り返して出力する。ここで、図２は、メモリ部５の動作を説明するために、等化部３の出力信号とメモリ部５の出力信号を示した図である。メモリ部５は、例えば等化出力を一旦蓄積するためのデータ格納部とメモリコントローラで構成することができる。
【００２２】
フィルタ部６は、メモリ部５から繰り返し出力される等化信号を入力し、係数更新部７から出力される係数を使ってフィルタ処理して出力する。フィルタ部６は、例えばＭタップのＦＩＲ（Finite Impulse Response）フィルタで構成することができる。フィルタ部に対する入力信号は繰り返されるため、本実施の形態の場合、１ＯＦＤＭシンボルあたり２回のフィルタ処理が実施される。このとき、フィルタ部６の出力のうち、復調信号として用いるのは最後のフィルタ処理動作で算出された復調信号であり、本実施の形態では２回目のフィルタ処理動作がそれに相当する。
【００２３】
係数更新部７は、メモリ部５の出力、フィルタ部６の出力および既知のパイロットキャリアを入力とし、最急降下法や再帰的最小２乗法などの適応アルゴリズムを用いてフィルタの係数を逐次更新する。最急降下法を用いる場合、係数の逐次更新式は数１で表される。ただし、数１において、Ｗm（ｎ）はｍ番目のタップに対するフィルタ係数、Ｘm*（ｎ）はｍ番目のタップにおける入力信号の複素共役、μは係数更新時の重み係数（以下、「ステップサイズパラメータ」ともいう）である。
【００２４】
【数１】
2010062643.tif 000003
【００２５】
また、数１においてＥ（ｎ）は、フィルタ出力と既知パイロットキャリアとの差で表される誤差信号であり、数２で与えられる。ただし、数２において、Ｙ（ｎ）はパイロットキャリアに対するフィルタ出力、Ｒ（ｎ）はそのパイロットキャリアに対する既知信号を表す。
【００２６】
【数２】
2010062643.tif 000004
【００２７】
数１および数２において、ｎは係数更新回数を表している。フィルタ係数の更新は、フィルタ出力がパイロットキャリア成分である場合にのみ実施する。ただし、フィルタへは全てのサブキャリアが入力される。例えば、サブキャリア数がｋで、最も周波数の低いサブキャリアを０番目のサブキャリア、最も周波数の高いサブキャリアを（ｋ−１）番目のサブキャリアとする。フィルタのタップ数をＭとすると、ｎ回目の係数更新時に使用するＹ（ｎ）は数３によって与えられる。
【００２８】
【数３】
2010062643.tif 000005
【００２９】
数３において、Ｙ（ｎ）はパイロットキャリアに相当するフィルタ出力を表している。このＹ（ｎ）から数２に従って誤差信号であるＥ（ｎ）を算出し、数１に従ってフィルタ係数を更新する。
【００３０】
メモリ部５から繰り返し出力されるＯＦＤＭ信号のうち、１回目の信号のパイロットキャリアを用いて係数を更新する。係数の初期値は、例えばフィルタのセンタータップに対する複素係数の実部のみが１、それ以外が全て０に設定する。１回目の信号が全て入力された時点で係数更新を終了し、２回目の信号に対しては係数更新後のフィルタ係数を固定値として出力する。これらの切り替えタイミングは、タイミング生成部４から出力されるタイミング信号をもとに行う。
【００３１】
フィルタ部６は、繰り返し入力されるＯＦＤＭ信号のうち最後のＯＦＤＭ信号に対するフィルタ処理結果を復調信号として出力する。
【００３２】
尚、メモリ部５から出力されるＯＦＤＭ信号の繰り返し回数は３回以上であってもよい。例えば３回繰り返される場合は、１回目のＯＦＤＭ信号に対する係数の更新値を２回目のＯＦＤＭ信号に対する係数の初期値に設定する。同様に、４回繰り返される場合は１〜３回目のＯＦＤＭ信号を利用して係数を更新するようにする。
【００３３】
以上に示したように、本発明の実施の形態１における受信装置およびその受信方法では、等化後の信号に対してフィルタ処理を行い、残留している位相誤差、振幅誤差を補正するようにフィルタ係数を逐次更新アルゴリズムで最適化するように構成したため、高速移動受信に起因する伝送路推定誤差の影響を低減することができ、受信機の受信性能を向上することが可能となる。
【００３４】
＜実施の形態２＞
実施の形態１では、メモリ部５、フィルタ部６の出力と既知のパイロットキャリアをもとに重み係数を更新する実施例について示したが、本実施の形態では、係数更新に使用するパイロットキャリアの信頼性を考慮して重み係数を更新する実施例を示す。
【００３５】
図３は、本発明の実施の形態２における受信装置２００の構成を示した図である。受信装置２００は、実施の形態１と同様の１〜６の構成に、信頼性情報生成部８、第２の係数更新部９を備えた構成である。
【００３６】
次に、動作について説明する。１〜６の動作は実施の形態１と同様のため説明を省略する。信頼性情報生成部８は、伝送路推定部２の出力から得られる伝送路推定値からパイロットキャリアに対する伝送路推定値を抽出し、その複素信号の絶対値または絶対値の２乗値をパイロットキャリアの信頼性情報として出力する。伝送路推定値の絶対値またはその２乗値が大きいほど、パイロットキャリアは信頼性が高いと判断できる。
【００３７】
第２の係数更新部９では、係数更新部７と同様にメモリ部５、フィルタ部６の出力と既知のパイロットキャリアを用いて係数を更新するが、係数更新に使用するパイロットキャリアの信頼性情報をもとに、そのパイロットキャリアを係数更新に使用するか否かを判定した上で更新を行う。
【００３８】
図４は、本実施の形態における第２の係数更新部９の構成を示した図である。ここで、第２の係数更新部９の構成例について図４を用いて説明する。係数更新部７は、実施の形態１で示した係数更新部と同様である。判定部９１は、信頼性情報生成部８の出力としきい値とを比較し、そのパイロットキャリアを係数更新に使用するか否かを判定する。係数更新に使用しないと判断したパイロットキャリアに対しては、ステップサイズパラメータを０に置き換えることで係数更新を止めることができる。尚、前述のしきい値は所定の値としてもよいが、信頼性情報生成部８の出力を平均し、所定の係数で割った値をしきい値としてもよい。
【００３９】
また、以上の説明では信頼性が低いパイロットキャリアは係数更新に使用しないようにステップサイズパラメータを０に置き換える例を示したが、信頼性情報が多値信号であるため、その大きさに応じてステップサイズパラメータの大きさを変え、信頼性の高いパイロットキャリアほどステップサイズパラメータを大きくして係数を更新するようにしてもよい。
【００４０】
以上に示したように、本発明の実施の形態３における受信装置およびその受信方法では、係数更新に使用するパイロットの信頼性に基づいて係数更新に使用するステップサイズパラメータを制御し、フィルタ係数を得るように構成したので、周波数選択性のフェージング伝送路であっても移動受信性能を向上することができる。
【００４１】
＜実施の形態３＞
実施の形態１，２では、係数更新後のフィルタ係数を必ず使用してフィルタ処理を行うような実施例について示したが、本実施の形態では、フィルタ処理の効果を判定した上でフィルタ処理を行うか否かを決定する実施例を示す。
【００４２】
図５は、本発明の実施の形態３における受信装置３００の構成を示した図である。受信装置３００は、実施の形態１と同様の１〜６の構成に、平均誤差算出部１０、誤差判定部１１、第３の係数更新部１２を備えた構成である。
【００４３】
次に、動作について説明する。１から６の動作は実施の形態１と同様のため説明を省略する。平均誤差算出部１０は、第３の係数更新部１１で算出されて数２で与えられる誤差信号を入力とし、誤差信号の２乗平均値または絶対値の平均値を平均誤差信号として所定の周波数帯域毎に計算する。
【００４４】
誤差判定部１１では、平均誤差信号算出部１０の出力のうち、係数更新初期の平均誤差信号と係数更新最終段階での平均誤差信号とを比較し、係数更新に従って誤差が減少したか否かを判定する。
【００４５】
第３の係数更新部１２は、実施の形態１で示した係数更新部７と同様にメモリ部５、フィルタ部６の出力と既知のパイロットキャリアをもとに重み係数を更新する。ただし、復調信号を生成する際に用いる係数は、誤差判定部１１の出力をもとに、更新後の係数または更新前の係数のいずれか一方を選択して出力する。すなわち、係数更新に従って誤差が減少した場合は係数更新後の係数を、そうでない場合には係数更新前の初期値をフィルタ部６に出力する。
【００４６】
尚、実施の形態２と同様に信頼性情報生成部８を更に備え、信頼性情報をもとにステップサイズパラメータを制御する機能も併用して係数を更新してもよい。
【００４７】
以上に示したように、本発明の実施の形態３における受信装置およびその受信方法では、係数更新の効果について判定した上で、フィルタ係数更新前後いずれの係数を使用するかを決定するように構成したため、係数更新の適応アルゴリズムが発散した場合の性能劣化を避けることができ、移動受信性能を向上することができる。
【産業上の利用可能性】
【００４８】
本発明の活用例として、直交周波数分割多重方式を用いた地上デジタル放送の受信機に適用できる。
【図面の簡単な説明】
【００４９】
【図１】本発明の実施の形態１における直交周波数分割多重信号の受信装置の構成を示した図である。
【図２】本発明の実施の形態１における直交周波数分割多重信号の受信装置の等化部およびメモリ部の出力信号を示した図である。
【図３】本発明の実施の形態２における直交周波数分割多重信号の受信装置の構成を示した図である。
【図４】本発明の実施の形態２における直交周波数分割多重信号の受信装置の第２の係数更新部の構成を示した図である。
【図５】本発明の実施の形態３における直交周波数分割多重信号の受信装置の構成を示した図である。
【符号の説明】
【００５０】
１  離散フーリエ変換部、２  伝送路推定部、３  等化部、４  タイミング生成部、５  メモリ部、６  フィルタ部、７  係数更新部、８  信頼性情報生成部、９  第２の係数更新部、１０  平均誤差算出部、１１  誤差判定部、１２  第３の係数更新部、９１  判定部、１００，２００，３００  受信装置。
【図１】
2010062643.tif 000006
【図２】
2010062643.tif 000007
【図３】
2010062643.tif 000008
【図４】
2010062643.tif 000009
【図５】
2010062643.tif 000010